(57)【要約】【課題】読取画像の画質の低下を抑え、原稿端部を正確に検出する読取装置を提供する。【解決手段】原稿に対して所定の角度から光を照射する第１の光源の複数色の光のうち少なくともいずれか１色を消灯し、異なる角度から光を照射する第２の光源の複数色の光のうち少なくともいずれかの色を第１の光源と同数消灯して、第１の光源と第２の光源とを点灯させ、原稿からの反射光を受光することで原稿画像を読み取る。その読取結果から、原稿の端部を判定する。【選択図】図８
2018160849.tif 000002
【特許請求の範囲】
【請求項１】
原稿に対して所定の角度から複数色の光を照射する第１の光源と、原稿に対して前記第１の光源と異なる角度から複数色の光を照射する第２の光源と、を有し、前記第１の光源の複数色の光のうち少なくともいずれか１色を消灯し、前記第２の光源の複数色の光のうち少なくともいずれかの色を前記第１の光源と同数消灯して、前記第１の光源と前記第２の光源とを点灯させ、原稿からの反射光を受光することで原稿画像を読み取る読取手段と、
前記読取手段の読取結果から、前記原稿の端部を判定する判定手段と、
を備えることを特徴とする読取装置。
【請求項２】
前記第１の光源と、前記第２の光源とは、同じ複数色の光を有し、
前記読取手段は、前記複数色の光のうち、前記第１の光源と前記第２の光源とが異なる色の光を消灯した状態で原稿画像を読取ることを特徴とする請求項１に記載の読取装置。
【請求項３】
前記読取手段は、１画素ごとに、前記第１の光源と前記第２の光源との消灯する色の光を変更することを特徴とする請求項１又は２に記載の読取装置。
【請求項４】
前記第１の光源の点灯により得られる輝度値と、前記第２の光源の点灯により得られる輝度値との差を取得する取得手段と、
前記取得手段により取得された差に基づいて、前記原稿の端部を検出する検出手段と、
を備えることを特徴とする請求項３に記載の読取装置。
【請求項５】
前記検出手段は、前記取得手段により取得された差が閾値以上である領域を前記原稿の端部として判定することを特徴とする請求項４に記載の読取装置。
【請求項６】
前記検出手段により検出された前記原稿の端部に基づいて、当該原稿のサイズを判定する判定手段、をさらに備えることを特徴とする請求項４又は５に記載の読取装置。
【請求項７】
前記第１の光源と前記第２の光源は、赤、青、緑の三色の光を照射することが可能であって、
前記読取手段は、前記三色の光のうち、赤もしくは青を消灯することを特徴とする請求項１乃至６のいずれか１項に記載の読取装置。
【請求項８】
前記第１の光源と前記第２の光源は、赤、青、緑の三色の光を照射することが可能であって、
前記読取手段は、前記三色の光のうち、緑は消灯しないことを特徴とする請求項１乃至７のいずれか１項に記載の読取装置。
【請求項９】
原稿に対して所定の角度から複数色の光を照射する第１の光源と、原稿に対して前記第１の光源と異なる角度から複数色の光を照射する第２の光源とを有する読取手段を備える読取装置において実行される制御方法であって、
前記読取手段の前記第１の光源の複数色の光のうち少なくともいずれか１色を消灯し、前記第２の光源の複数色の光のうち少なくともいずれかの色を前記第１の光源と同数消灯して、前記第１の光源と前記第２の光源とを点灯させ、原稿からの反射光を受光することで原稿画像を読み取る読取工程と、
前記読取工程の読取結果から、前記原稿の端部を判定する判定工程と、
を有することを特徴とする制御方法。
【発明の詳細な説明】
【技術分野】
【０００１】
本発明は、原稿を光学的に読み取る読取装置および制御方法に関する。
【背景技術】
【０００２】
画像読取装置では、光源から照射され原稿で反射された反射光をイメージセンサで読み取ることで、原稿上の画像の読取が行われる。特許文献１には、原稿の搬送方向（副走査方向）上、互いに離間して配置されている一対の発光部を有する画像読取ユニットが記載されている。また、特許文献１には、ＣＰＵが一対の発光部の発光状態を切り替えることが記載されている。
【先行技術文献】
【特許文献】
【０００３】
【特許文献１】特開２０１４−３３９７号公報
【発明の概要】
【発明が解決しようとする課題】
【０００４】
特許文献１には、一対の発光部の発光状態を切り替えることにより、原稿のエッジ近傍に対応する読取画像中の領域に、影が映り込むようにして原稿の輪郭検出を容易にすると記載されている。影の映り込みをよくするために、一対の発光部のうち一方の発光部の発光強度の強弱の差を大きくする構成として、一方を点灯、他方を消灯とすることが記載されている。また、第１の発光状態における一対の発光部の発光強度の比を２：１とした場合、第２の発光状態における一対の発光部の発光強度の比を１：２とすることが記載されている。
【０００５】
しかしながら、一対の発光部のそれぞれの光量バランスを変更する特許文献１では、紙の繊維等により形成される紙紋が影となって画像に現れやすくなり、読取画像の画質の低下を招くおそれがある。
【０００６】
本発明の目的は、このような従来の問題点を解決することにある。上記の点に鑑み、本発明は、読取画像の画質の低下を抑え、原稿端部を正確に検出する読取装置および制御方法を提供することを目的とする。
【課題を解決するための手段】
【０００７】
上記課題を解決するため、本発明に係る読取装置は、原稿に対して所定の角度から複数色の光を照射する第１の光源と、原稿に対して前記第１の光源と異なる角度から複数色の光を照射する第２の光源と、を有し、前記第１の光源の複数色の光のうち少なくともいずれか１色を消灯し、前記第２の光源の複数色の光のうち少なくともいずれかの色を前記第１の光源と同数消灯して、前記第１の光源と前記第２の光源とを点灯させ、原稿からの反射光を受光することで原稿画像を読み取る読取手段と、前記読取手段の読取結果から、前記原稿の端部を判定する判定手段とを備えることを特徴とする。
【発明の効果】
【０００８】
本発明によれば、読取画像の画質の低下を抑えつつ、原稿端部を正確に検出することができる。
【図面の簡単な説明】
【０００９】
【図１】画像読取装置の構成を示す図である。
【図２】画像読取装置の制御系の構成を示すブロック図である。
【図３】ＬＥＤの点灯パターンを示す図である。
【図４】影の発生を説明するための図である。
【図５】副走査方向に対する各輝度値の変化を示す図である。
【図６】影領域での副走査方向に対する赤と青の輝度値の変化を示す図である。
【図７】赤と青の輝度値の差分と、その微分値の絶対値とを示す図である。
【図８】原稿端部の判定処理を示すフローチャートである。
【図９】原稿端部の判定処理の詳細を示すフローチャートである。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
図１は、本実施形態における画像読取装置（スキャナ装置）１の構成を示す図である。画像読取装置１は、原稿台ガラス１４に載置された原稿１５を光学的に読み取るＣＩＳ（Ｃｏｎｔａｃｔ  Ｉｍａｇｅ  Ｓｅｎｓｏｒ）ユニット１３を備える。ＣＩＳユニット１３は、光源から光を原稿に照射し、原稿による反射光を受光して光電変換することにより、原稿画像の読取信号を生成する。
【００１２】
図１に示す画像読取装置１は、例えば、印刷機能やファクス機能等が一体化された複合機（ＭｕｌｔｉＦｕｎｃｔｉｏｎａｌＰｅｒｉｐｈｅｒａｌ）の一部として構成される場合もある。その場合、不図示であるが、画像読取装置１の下部に複合機の本体が構成される。本体内には、インクジェット記録方式や電子写真方式等により記録媒体に画像を形成するプリンタエンジンが構成される。また、図１では、原稿台ガラス１４に載置された原稿１５を読み取る構成が示されているが、原稿台ガラス１４の上部に自動原稿給送装置（ＡｕｔｏｍａｔｉｃＤｏｃｕｍｅｎｔＦｅｅｄｅｒ）が構成される場合もある。その場合、画像読取装置１は、自動原稿給送装置から連続的に給紙される原稿を流し読みガラス１１を介して読み取ることができる。また、図１では、不図示であるが、原稿台ガラス１４を覆うための原稿カバーが構成される。原稿カバーの原稿台ガラス１４に対向する面には、白色シートが設けられている。以下、原稿カバーと称するときは、原稿台ガラス１４上を覆う自動原稿給送装置を含むものとする。
【００１３】
図１に示すように、ＣＩＳユニット１３は、第１の光源１３１及び第２の光源１３２と、光学レンズ１３３と、撮像部１３４とを含んで構成され、原稿１５の載置側と反対側に原稿台ガラス１４に密着するように配置される。第１の光源１３１と第２の光源１３２は、夫々、光源として赤色ＬＥＤ、緑色ＬＥＤ及び青色ＬＥＤの３つの異なる光源色の光源を備えた白色タイプの導光管を含み、原稿台ガラス１４に対して所定角度、傾斜した方向から原稿１５を照射する。また、第１の光源１３１と第２の光源１３２は、光学レンズ１３３を中心として両側に対向して配置される。以下、単に「光源」というときは、第１の光源１３１もしくは第２の光源１３２を指すものとする。
【００１４】
また、光学レンズ１３３は、セルフォックレンズ（登録商標）等から構成され、第１の光源１３１と第２の光源１３２から照射され原稿１５で反射された光を、所定の結像位置へと導き、原稿１５からの反射光を等倍で読み取る。撮像部１３４は、主走査方向に配置された複数の光電変換素子等から構成される受光部であり、光学レンズ１３３により所定の結像位置へと導かれた光を受光して撮像する。撮像部１３４として、例えばＣＭＯＳセンサが用いられる。
【００１５】
撮像部１３４で撮像された原稿１５の読取データは、図２の画像記憶部７に格納される。このような構成のＣＩＳユニット１３は、駆動ベルト１６に装着され、ガイドレール１７に沿って矢印Ｈで示す副走査方向にモータ１８の駆動力が駆動ベルト１６を介して伝達されることにより移動する。画像読取装置１は、ＣＩＳユニット１３をモータ１８の駆動力により副走査方向に移動させながら、ＣＩＳユニット１３を、副走査方向と直交する主走査方向に電気的に走査することにより原稿１５の画像を読み取る。一般的に、モータ１８として、ステッピングモータやＤＣモータ等が用いられる。また、画像読取時には、ＣＩＳユニット１３は、原稿台ガラス１４の端部に設けられた白色基準板１２に光を照射して、その反射光からシェーディング補正を行うための基準信号を取得する。
【００１６】
以上の構成を有する画像読取装置１は、原稿台ガラス１４に載置された原稿の画像読取を行う際、予め、白色基準板１２を用いたシェーディング補正を行う。同時にＬＥＤ光源の光量調整を行って露光量を一定に保つ。また、各光源色のＬＥＤ光量は、主走査方向１ライン毎の点灯する時間をＰＷＭ制御のデューティ比を変化させることで調整される。
【００１７】
図２（ａ）は、画像読取装置１の制御系の構成を示すブロック図である。ＣＩＳユニット１３は、ＬＥＤ駆動回路（ドライバ）３において主走査方向１ライン毎に第１の光源１３１と第２の光源１３２の光量調整が行われた点灯時間に従って、原稿１５の画像を読み取る。ＬＥＤ駆動回路３は、第１の光源１３１と第２の光源１３２を任意のＰＷＭのデューティで点灯制御することが可能である。
【００１８】
増幅器（ＡＭＰ）２１は、撮像部１３４から出力された電気信号を増幅し、Ａ／Ｄ変換回路２２は、その増幅された電気信号をＡ／Ｄ変換して、例えば、各画素を１６ビットの輝度値として表現するデジタル画像データを出力する。画像処理部６は、Ａ／Ｄ変換回路２２によって変換されたデジタル画像データを画像処理する。画像記憶部７は、画像処理部６より送られた画像データを記憶し、インクジェット記録方式や電子写真方式を用いたプリンタエンジンへの画像転送、または、外部装置とのインタフェースを介した画像転送を行う。
【００１９】
タイミング発生回路４は、ＣＰＵ５の設定に応じて、主走査方向１ライン毎のＰＷＭデューティを変化させることができ、ＬＥＤ駆動回路３に対してＬＥＤの点灯／滅灯（ＯＮ／ＯＦＦ）の制御信号を送ることでＬＥＤの光量調整を行う。また、タイミング発生回路４は、撮像部１３４に対して、動作に必要となるクロック信号や水平同期信号を出力し、読取りのタイミング制御を行う。なお、ＣＰＵ５は、実行するプログラムを格納するＲＯＭ５２とプログラム実行に作業領域として用いられるＲＡＭ５１とを備える。ＣＰＵ５は、画像読取装置１を統括的に制御し、本実施形態の動作は、例えば、ＲＯＭ５２に記憶されたプログラムをＲＡＭ５１に読出して実行することにより実現される。
【００２０】
図２（ｂ）は、ＣＰＵ５と他のブロックとの接続構成を示す図である。ＣＰＵ５は、画像読取装置１全体を統括的に制御する。ＲＡＭ２０１は、汎用的なＲＡＭであり、ＣＰＵ５の作業領域及びデータの一時記憶領域として用いられる。ＲＯＭ２０２は、汎用的なＲＯＭであり、画像読取装置１を駆動するためのファームウェアプログラムや、ファームウェアプログラムを制御するためのブートプログラムを記憶し、ＣＰＵ５によってＲＡＭ２０１に読み出されて実行される。ＲＡＭ２０１、ＲＯＭ２０２はそれぞれ、ＲＡＭ５１、ＲＯＭ５２に対応する構成であっても良い。
【００２１】
通信インタフェース（Ｉ／Ｆ）２０３は、外部のコンピュータ端末装置等と有線や無線等のネットワーク媒体を介して接続され、データやジョブ等の通信を可能とする。操作部Ｉ／Ｆ２０４は、パネルや入力キー等を有する操作部２１２と接続され、パネルに表示されるユーザインタフェース画面等の表示データや、入力キー等による操作情報の通信を可能とする。
【００２２】
印刷制御部Ｉ／Ｆ２０５は、インクジェット記録方式や電子写真方式を用いたプリンタエンジンを含む印刷制御部２１０と接続され、印刷制御部２１０が処理可能なように変換されたデータや印刷制御部２１０からの情報の通信を可能とする。画像読取部Ｉ／Ｆ２０６は、画像読取部２１１と接続され、その結果、図２（ａ）の動作が実現される。
【００２３】
センサ２０７は、各種センサを含み、例えば、原稿カバーの開閉を検知する開閉検知センサ、ＣＩＳユニット１３が設けられた空間の底部に主走査方向及び副走査方向に設置された原稿サイズ検知センサを含む。ＣＰＵ５は、それらのセンサの出力信号を検出する。モータ２１３は、図１のモータ１８に対応する。ＣＰＵ５は、モータドライバ２０８を介してモータ２０８を駆動し、副走査方向にＣＩＳユニット１３を移動させる。システムバス２０９は、上記の各ブロックの間を相互に通信可能に接続する。
【００２４】
図３は、本実施形態におけるＬＥＤの点灯パターンを示す図である。図３に示すＨＳＹＮＣ信号は、タイミング発生回路４が撮像部１３４に対して出力する水平同期信号を示しており、１ラインの切り替わりを表している。ＬＥＤ＿Ｒ１信号、ＬＥＤ＿Ｇ１信号及びＬＥＤ＿Ｂ１信号はそれぞれ、第１の光源１３１に含まれる赤（Ｒ）、緑（Ｇ）、青（Ｂ）の各ＬＥＤの点灯タイミングを示している。また、ＬＥＤ＿Ｒ２信号、ＬＥＤ＿Ｇ２信号及びＬＥＤ＿Ｂ２信号はそれぞれ、第２の光源１３２に含まれる赤、緑、青のＬＥＤの点灯タイミングを示している。
【００２５】
図３（ａ）は、通常カラー読取時におけるＬＥＤの点灯パターンを示している。図３（ａ）に示すように、１ライン毎に点灯するＬＥＤの色を異ならせることで赤、緑、青の三色のデータを独立して撮像部１３４から出力させる。つまり、３ライン分読取ることで赤、緑、青の読取信号を取得することができ、そのタイミングで、副走査方向の１画素の画像データとなる。通常カラー読取時には、同じ光源色について第１の光源１３１のＬＥＤと第２の光源１３２のＬＥＤを同時に点灯させる。
【００２６】
一方、図３（ｂ）は、本実施形態において、原稿端部の検出モードにおけるカラー読取の点灯パターンを示している。通常カラー読取時とは異なり、赤及び青については、第１の光源１３１及び第２の光源１３２のうち片方のＬＥＤだけ点灯させ、緑については、常に第１の光源１３１及び第２の光源１３２両方のＬＥＤを点灯させる。片方のＬＥＤだけ点灯する赤及び青のＬＥＤ光量は両方点灯の時と同等の光量となるよう、ＰＷＭ制御のデューティ比を変化させて調整する。また、図３（ｂ）に示すように、赤色ＬＥＤと青色ＬＥＤは、同じ画素のタイミングにおいて点灯させる光源が異なる。また、副走査方向に後続する画素のタイミングでは、赤色ＬＥＤと青色ＬＥＤは、先行する画素において点灯させた光源と反対側の光源のＬＥＤを点灯させるよう制御が行われる。本実施形態では、図３（ｂ）に示すように、６ラインで１サイクルとしてＬＥＤの点滅を繰り返すことで画像読取が行われる。
【００２７】
本実施形態では、図３（ｂ）に示すように、各光源について、画素毎に、赤及び青の点灯／滅灯を繰り返しているが、点灯／滅灯の繰り返しではなく、第１の発光量／第２の発光量（第１の発光量＞第２の発光量）の繰り返しであっても良い。
【００２８】
図４は、第１の光源１３１と第２の光源１３２の点灯をそれぞれ独立させて点灯させた場合の影の発生を説明するための図である。図４（ａ）に示すように、第１の光源１３１のみ点灯させて原稿を読み取った場合、第１の光源１３１は、原稿の先端と対向する位置に配置されているので、先端側では、光が原稿に遮断されることなく照射され、影は発生しない。一方、後端側では、原稿によって光が原稿に遮断されて影が発生する。また、図４（ｂ）に示すように、第２の光源１３２のみ点灯させて原稿を読み取った場合、第２の光源１３２は、原稿の後端と対向する位置に配置されているので、後端側では、光が原稿に遮断されることなく照射され、影は発生しない。一方、先端側では、原稿によって光が原稿に遮断され影が発生する。このように、第１の光源１３１と第２の光源１３２の片方の点灯によって影を発生させることができる。
【００２９】
図５は、原稿端部の検出のためのカラー読取時において原稿を読み取った際の副走査方向に対する赤、緑、青の各輝度値の変化を示す図である。図５（ａ）に示すように、赤色ＬＥＤは、第１の光源１３１と第２の光源１３２との間で点灯を画素毎に交互に切替えて読み取るので、原稿の先端と後端部分のみ副走査方向の１画素毎に、輝度値が大きく変化する。同様に、青色ＬＥＤについても、図５（ｃ）に示すように、第１の光源１３１と第２の光源１３２の点灯を画素毎に交互に切り替えて読み取るので、原稿の先端と後端部分のみ副走査方向の１画素毎に、輝度値が大きく変化する。一方、図５（ｂ）に示すように、緑色ＬＥＤの点灯時は、常に第１の光源１３１と第２の光源１３２の両方を同時に点灯させるので、原稿の先端や後端であっても赤や青の画素値のように１画素毎に画素値が大きく変化するようなことはない。また、原稿１５上の赤や青の印刷部に対しては、第１の光源１３１と第２の光源１３２とが交互に点灯するものの原稿端部ではないので、図５（ａ）及び（ｃ）に示すように正常に読み取ることができる。
【００３０】
図６は、影領域における副走査方向に対する赤と青の輝度値の変化を示す図である。図６に示すように、影の領域では赤と青の輝度値は、１画素毎に輝度値が大きく変化しており、赤の輝度値が高い場合には青の輝度値が低くなり、青の輝度値が高い場合には赤の輝度値が低くなるという変化になる。これは、図３（ｂ）に示すように、同じ画素の読取タイミングで赤と青は異なる光源を点灯させているからであり、影領域では、図６に示すような画像データを取得することができる。
【００３１】
図７は、原稿端部の検出のためのカラー読取時において赤の輝度値と青の輝度値の差分と、その微分値の絶対値とを示す図である。図７（ａ）に示すように、赤の輝度値と青の輝度値の差分は、原稿の先端と後端のみ１画素毎のデータ変動が大きくなる。本実施形態では、この影の領域を正確に検知するために、赤の輝度値と青の輝度値の差分を１画素毎に微分する。図７（ｂ）は、赤の輝度値と青の輝度値の差分を１画素毎に微分した値の絶対値と副走査方向の位置の関係を示している。原稿１５の表面や原稿１５の印刷された領域においては、色に関係なく絶対値は小さくなる。一方、原稿の先端や後端に発生する影領域においては、絶対値は大きくなる。つまり、影の領域についてのみ絶対値が大きくなるので、赤の輝度値と青の輝度値の差分の１画素毎の微分値の絶対値が一定以上の値を超えた領域を影領域として特定することで、読取速度を低下させることなく正確な原稿端部の判定を行うことができる。
【００３２】
図８は、本実施形態における読取制御処理を示すフローチャートである。図８の処理は、例えば、ＣＰＵ５がＲＯＭ５２に記憶されたプログラムをＲＡＭ５１に読み出して実行することにより実現される。図８の処理は、例えば、原稿１５が載置されて原稿台ガラス１４上を覆う原稿カバーがユーザにより閉じられたことを開閉センサ等により検知すると開始する。
【００３３】
Ｓ１０１において、ＣＰＵ５は、ＣＩＳユニット１３をホームポジションから読取開始位置まで移動させる。読取開始位置とは、例えば、固定読みの場合、白色基準板１２から原稿台ガラス１４側に所定距離分ずれた位置であり、流し読みの場合は、流し読みガラス１１の下方の位置である。Ｓ１０２において、流し読みの場合は、第１の光源１３１のＬＥＤと第２の光源１３２のＬＥＤの点灯制御を行い、不図示の自動原稿給送装置により搬送される原稿へ光を照射する。Ｓ１０２において、固定読みの場合は、ＣＰＵ５は、読取開始位置から副走査方向上を移動させるとともに、第１の光源１３１のＬＥＤと第２の光源１３２のＬＥＤの点灯制御を行う。Ｓ１０２では、図３（ｂ）に示すように、ＣＰＵ５は、１画素毎に第１の光源１３１の赤色ＬＥＤの点灯と滅灯、および、青色ＬＥＤの点灯と滅灯を繰り返すよう発光制御する。また、ＣＰＵ５は、第１の光源１３１と同様に、１画素毎に第２の光源１３２の赤色ＬＥＤの点灯と滅灯、および、青色ＬＥＤの点灯と滅灯を繰り返すよう発光制御する。その際、画素毎に、ＣＰＵ５は、第１の光源１３１について、赤色ＬＥＤを点灯させているときは、青色ＬＥＤを滅灯させるように制御し、赤色ＬＥＤを滅灯させているときは、青色ＬＥＤを点灯させるように制御する。また、ＣＰＵ５は、画素毎に、第１の光源１３１と第２の光源１３２との間で赤色ＬＥＤと青色ＬＥＤのように異なる光源色のＬＥＤを点灯させるように制御する。但し、緑色ＬＥＤについては、ＣＰＵ５は、第１の光源１３１と第２の光源１３２の両方について各画素で点灯するよう制御する。
【００３４】
Ｓ１０３において、ＣＰＵ５は、各ラインごとに出力された読取信号を、ＡＭＰ２１、Ａ／Ｄ変換回路２２、画像処理部６を介して、画素値データとして画像記憶部７に格納する。Ｓ１０４において、ＣＰＵ５は、ＣＩＳユニット１３が読取開始位置から副走査方向上を最大量移動したか否かを判定する。これは、例えば、ＣＩＳユニット１３が収納されている筐体の底面に設けられているセンサからの検出信号やスケーラに基づいて判定しても良いし、ＣＩＳユニット１３の移動速度と移動時間に基づいて算出しても良い。Ｓ１０４で最大量移動したと判定された場合、Ｓ１０５に進み、最大量移動していないと判定された場合、Ｓ１０２からの処理を繰り返す。
【００３５】
Ｓ１０５において、ＣＰＵ５は、Ｓ１０３で画像記憶部７に格納された画素値データに基づいて、原稿端部の判定を行い、Ｓ１０６において、ＣＰＵ５は、Ｓ１０５で判定された原稿端部に基づいて原稿領域を特定し、原稿サイズを判定する。その後、図８の処理を終了する。
【００３６】
図８の処理後は、判定された原稿サイズを用いて、印刷用紙のサイズを特定するようにしても良い。また、Ｓ１０６の原稿サイズの判定は、原稿端部の他に、ＣＩＳユニット１３が収納されている筐体の底面に主走査方向に複数設けられているセンサからの出力を用いて行われても良い。
【００３７】
また、Ｓ１０６では、原稿サイズの判定ではなく、他の処理が行われても良い。例えば、原稿の先端や後端を判定することにより印刷領域を特定したり、読取データの不要領域を特定したり、原稿領域の輝度補正を行う処理が行われても良い。
【００３８】
図９は、図８のＳ１０５の原稿端部の判定処理を示すフローチャートである。Ｓ２０１において、ＣＰＵ５は、ＲＡＭ５１に確保された副走査方向の画素位置を表す変数ｎに、読取開始位置に対応する０を入力することにより初期化する。
【００３９】
Ｓ２０２において、ＣＰＵ５は、画像記憶部７に格納された赤色ＬＥＤの輝度値データのうち、副走査方向ｎ＝０に対応する輝度値を取得する。その際、ＣＰＵ５は、例えば、ＣＩＳユニット１３の主走査方向の全ての画素における輝度値を取得しても良いが、複数の輝度値から平均値を算出してその平均値を取得しても良いし、主走査方向の中心位置または特定画素の輝度値を取得するようにしても良い。
【００４０】
Ｓ２０３において、ＣＰＵ５は、画像記憶部７に格納された青色ＬＥＤの輝度値データのうち、副走査方向ｎ＝０に対応する輝度値を取得する。その際、ＣＰＵ５は、赤色ＬＥＤの輝度値データ取得時と同様に、例えば、ＣＩＳユニット１３の主走査方向の全ての画素における輝度値を取得しても良いが、複数の輝度値から平均値を算出してその平均値を取得しても良いし、主走査方向の中心位置または特定の画素の輝度値を取得するようにしても良い。
【００４１】
Ｓ２０４において、ＣＰＵ５は、副走査方向ｎ＝０に対応する赤色ＬＥＤの輝度値Ｒと青色ＬＥＤの輝度値Ｂとの差を取得する。そして、Ｓ２０５において、ＣＰＵ５は、取得した差の微分値の絶対値を取得する。そして、Ｓ２０６において、Ｓ２０５で取得された絶対値が閾値以上であるか否かを判定する。ここで、閾値以上であると判定された場合、Ｓ２０７に進み、閾値以上でないと判定された場合、Ｓ２０９にて変数ｎをインクリメントしてＳ２０２からの処理を繰り返す。
【００４２】
Ｓ２０７において、ＣＰＵ５は、現在着目している画素が原稿１５の影領域であるとして原稿端部と判定する。Ｓ２０８において、ＣＰＵ５は、変数ｎが副走査方向上、読取開始位置からの最大距離を表しているか否かを判定する。最大距離を表していると判定された場合、図９の処理を終了する。最大距離を表していないと判定された場合、Ｓ２０９にて変数ｎをインクリメントしてＳ２０２からの処理を繰り返す。
【００４３】
本実施形態では赤色ＬＥＤと青色ＬＥＤを１画素毎に切り替えているが、独立した色データとして取得できれば赤と青に限定されるものではない。また、第１の光源１３１及び第２の光源１３２それぞれのＬＥＤの点灯を不均一にすることができるのであれば、原稿端部を判定可能であるので、１画素において第１の光源１３１及び第２の光源１３２のいずれかのＬＥＤを完全に消灯する必要がない。本実施形態においては、第１の光源１３１と第２の光源１３２のともに、緑色ＬＥＤを点灯させているので、第１の光源１３１と第２の光源１３２のいずれか一方の光量を一律に低下させた場合に比べて画質の低下を抑えることができる。
【００４４】
以上のように、本実施形態によれば、光量の低下による画質の低下を抑えつつ、影領域を検出することにより原稿の端部を判定することができる。
【符号の説明】
【００４５】
１  画像読取装置：５  ＣＰＵ：  １３  ＣＩＳユニット：  ５１  ＲＡＭ：  ５２  ＲＯＭ：  １３１  第１の光源：  １３２  第２の光源：
【図１】
2018160849.tif 000003
【図２】
2018160849.tif 000004
【図３】
2018160849.tif 000005
【図４】
2018160849.tif 000006
【図５】
2018160849.tif 000007
【図６】
2018160849.tif 000008
【図７】
2018160849.tif 000009
【図８】
2018160849.tif 000010
【図９】
2018160849.tif 000011